(57)【要約】      （修正有）【課題】電気通信システムにおいて、接続に問題が検出された時に、接続回復の開始を制御する方法及び配置構成を提供する。【解決手段】電気通信システムのユーザ装置における配置構成は、少なくとも一つの条件を定義するネットワークから設定メッセージを受信するステップ５０１と、第１のセルへの接続の問題を検出した時５０３に、少なくとも一つの条件を評価するステップ５０４と、隣接セルに対して少なくとも一つの条件が満たされた場合に、隣接セルへの接続の回復を開始するために、少なくとも一つの条件が満たされなかった場合に適用される少なくとも一つの基準とは異なる少なくとも一つの特別基準を適用するステップ５０５とを含む。【選択図】図５
2019033502.tif 000002
【特許請求の範囲】
【請求項１】
ネットワークに含まれる第１のセル（Ａ）においてサービングされているユーザ装置、ＵＥ（７００）において、前記ユーザ装置と前記ネットワークの間の接続の回復を制御する方法であって、下記のステップ：
−  少なくとも一つの条件を定義する前記ネットワークから設定メッセージを受信する（５０１）ステップと、
−  前記第１のセルへの接続の問題を検出した（５０３）時に、前記少なくとも一つの条件を評価する（５０４）ステップと、
−  隣接セル（Ｂ）に対して前記少なくとも一つの条件が満たされた場合、前記隣接セルへの接続の回復を開始するために、前記少なくとも一つの条件が満たされなかった場合に適用される少なくとも一つの基準とは異なる少なくとも一つの特別基準を適用する（５０５）ステップと
を含む、方法。
【請求項２】
前記少なくとも一つの条件が、前記ユーザ装置が前記隣接セル（Ｂ）のカバレージ内にいるか否かを判断することに関連している、請求項１に記載の方法。  
【請求項３】
隣接セル（Ｂ）から受信した信号が閾値よりも強い場合に、前記隣接セル（Ｂ）に対して条件が満たされる、請求項２に記載の方法。
【請求項４】
測定イベントが前記隣接セル（Ｂ）に対してトリガされた場合に条件が満たされる、請求項２又は３に記載の方法。  
【請求項５】
隣接セル（Ｂ）に対して測定イベントがトリガされたことを示す測定報告が前記ネットワークに送信された場合に、前記隣接セルに対して条件が満たされる、請求項２に記載の方法。
【請求項６】
隣接セル（Ｂ）に対して測定イベントがトリガされたことを示す測定報告が良好に送信されたという確認を前記ネットワークから受信した場合に、前記隣接セルに対して条件が満たされる、請求項２に記載の方法。
【請求項７】
前記少なくとも一つの条件が満たされた場合に、接続の回復を開始するための前記少なくとも一つの特別基準が適用される少なくとも一つの隣接セル（Ｂ）の指示を含む、前記ネットワークからのメッセージを受信する（５０７）ステップを含む、請求項１から６のいずれか一項に記載の方法。
【請求項８】
前記少なくとも一つの条件が満たされた時に回復が直ちに開始される、請求項１から７のいずれか一項に記載の方法。
【請求項９】
前記少なくとも一つの特別基準は、特定の終了値におけるタイマー（７０４）の終了を含み、前記終了値は、前記少なくとも一つの条件が満たされなかった場合に適用される前記タイマー（７０４）の終了値とは異なる、請求項１から７のいずれか一項に記載の方法。
【請求項１０】
前記少なくとも一つの特別基準は、カウンター（７０６）の閾値に到達することを含み、前記閾値は、前記少なくとも一つの条件が満たされなかった場合に適用される前記カウンター（７０６）の閾値とは異なる、請求項１から７及び９のいずれか一項に記載の方法。
【請求項１１】
前記少なくとも一つの特別基準は、前記少なくとも一つの条件が満たされなかった場合に回復を開始するために使用されるカウンター（７０６）及び／又はタイマー（７０４）に加えて、隣接セルへの接続の回復をいつ開始するかを評価するためにカウンター（７０７）及び／又はタイマー（７０５）を使用することを含む、請求項１から７及び９から１０のいずれか一項に記載の方法。
【請求項１２】
ネットワークに含まれる第１のセル（Ａ）においてユーザ装置（７００）をサービングしている前記ネットワークに含まれるべきネットワークノード（８００）において、前記ネットワークと前記ユーザ装置との間の接続の回復を制御する方法であって、以下のステップ：
−  少なくとも一つの条件を定義する一又は複数のユーザ装置に設定メッセージを送る（６０２）ステップと、
−  前記第１のセルへの接続の問題を検出した時に、前記少なくとも一つの条件を評価するように前記一又は複数のユーザ装置を構成する（６０５）ステップと、
−  隣接セル（Ｂ）に対して前記少なくとも一つの条件が満たされた場合に、前記隣接セル（Ｂ）への接続の回復を開始するために、前記少なくとも一つの条件が満たされなかった場合に適用される少なくとも一つの基準とは異なる少なくとも一つの特別基準を適用するように前記一又は複数のユーザ装置を構成する（６０６）ステップと
を含む、方法。
【請求項１３】
前記少なくとも一つの条件が、ユーザ装置が前記隣接セル（Ｂ）のカバレージ内にあるか否かを判断することに関連する、請求項１２に記載の方法。  
【請求項１４】
隣接セル（Ｂ）から受信した信号が閾値よりも強い場合に、前記隣接セル（Ｂ）に対して条件が満たされる、請求項１３に記載の方法。
【請求項１５】
前記隣接セルに対して測定イベントがトリガされた場合に条件が満たされる、請求項１３又は１４に記載の方法。  
【請求項１６】
隣接セル（Ｂ）に対して測定イベントがトリガされたことを示す測定報告がネットワークに送信された場合に、前記隣接セルに対して条件が満たされる、請求項１３に記載の方法。
【請求項１７】
隣接セル（Ｂ）に対して測定イベントがトリガされたことを示す測定報告が良好に送信されたことの確認を前記ネットワークから受信した場合に、前記隣接セルに対して条件が満たされる、請求項１３に記載の方法。
【請求項１８】
前記少なくとも一つの条件が満たされた場合に、接続の回復を開始するために前記少なくとも一つの特別基準が適用される少なくとも一つのセルの指示を一又は複数のユーザ装置に送る（６０７）ステップを含む、請求項１２から１７のいずれか一項に記載の方法。
【請求項１９】
前記ネットワークノードが以前の接続の問題の情報を用いて、どのセルを前記一又は複数のユーザ装置に指示すべきかを確定する（６０１）、請求項１８に記載の方法。
【請求項２０】
どのセルを前記一又は複数のユーザ装置に指示すべきかを確定する（６０１）ために、前記ネットワークノードが、以前の回復要求についての情報を隣接ネットワークノードから受信する（６００）、請求項１８又は１９に記載の方法。
【請求項２１】
前記ネットワークノードが、前記一又は複数のユーザ装置へのメッセージに指示される少なくとも一つのセルを制御している少なくとも一つのネットワークノードに準備メッセージを送り（６０４）、上記ネットワークノードに前記一又は複数のユーザ装置（７００）から接続の回復要求を受信する準備をさせる、請求項１８から２０のいずれか一項に記載の方法。  
【請求項２２】
ユーザ装置とネットワークとの間の接続の回復を制御するように適合された前記ユーザ装置（７００）であって、前記ユーザ装置は前記ネットワークに含まれる第１のセル（Ａ）においてサービングされており、
−  少なくとも一つの条件を定義する前記ネットワークから設定メッセージを受信する（５０１）ように構成された受信機（７０２）と、
−  前記第１のセルへの接続の問題を検出した時に前記少なくとも一つの条件が満たされたかどうか評価するように構成され、且つ隣接セル（Ｂ）に対して前記少なくとも一つの条件が満たされた場合に、前記隣接セルへの接続の回復を開始するために、前記少なくとも一つの条件が満たされなかった場合に適用される少なくとも一つの基準とは異なる少なくとも一つの特別基準を適用するように構成された回路を備えるプロセッサ（７０１）と
を備える、ユーザ装置（７００）。  
【請求項２３】
前記少なくとも一つの条件が、前記ユーザ装置が前記隣接セル（Ｂ）のカバレージ内にあるか否かを判断することに関連する、請求項２２に記載のユーザ装置（７００）。  
【請求項２４】
隣接セル（Ｂ）から受信した信号が閾値よりも強い場合に、前記隣接セルに対して条件が満たされる、請求項２３に記載のユーザ装置（７００）。
【請求項２５】
測定イベントが前記隣接セル（Ｂ）に対してトリガされた場合に条件が満たされる、請求項２３又は２４に記載のユーザ装置（７００）。  
【請求項２６】
測定イベントが隣接セル（Ｂ）に対してトリガされたことを示す測定報告が前記ネットワークに送信された場合に、前記隣接セルに対して条件が満たされる、請求項２３に記載のユーザ装置（７００）。
【請求項２７】
隣接セル（Ｂ）に対して測定イベントがトリガされたことを示す測定報告が良好に送信されたという確認を前記ネットワークから受信した場合に、前記隣接セルに対して条件が満たされる、請求項２３に記載のユーザ装置（７００）。
【請求項２８】
前記受信機（７０２）がさらに、前記少なくとも一つの条件が満たされた場合に、接続の回復を開始するために前記少なくとも一つの特別基準が適用される少なくとも一つのセル（Ｂ）の指示を受信する（５０７）ように構成されている、請求項２２から２７のいずれか一項に記載のユーザ装置（７００）。
【請求項２９】
タイマー（７０４）を備え、前記少なくとも一つの特別基準が、前記少なくとも一つの条件が満たされなかった場合に適用される前記タイマーの終了値とは異なる特定の終了値における前記タイマーの終了を含む、請求項２２から２８のいずれか一項に記載のユーザ装置（７００）。
【請求項３０】
カウンター（７０６）を備え、前記少なくとも一つの特別基準が、前記少なくとも一つの条件が満たされなかった場合に適用される前記カウンターの閾値とは異なる前記カウンターの閾値に到達することを含む、請求項２２から２９のいずれか一項に記載のユーザ装置（７００）。
【請求項３１】
前記少なくとも一つの条件が満たされなかった場合に隣接セルへの回復をいつ開始するかを評価するために使用されるカウンター（７０６）及び／又はタイマー（７０４）に加えて、前記少なくとも一つの条件が満たされた場合に隣接セルへの接続の回復をいつ開始するかを評価するためのカウンター（７０７）及び／又はタイマー（７０５）を備える、請求項２２から３０のいずれか一項に記載のユーザ装置（７００）。
【請求項３２】
ネットワークに含まれる第１のセル（Ａ）においてユーザ装置（７００）をサービングしている前記ネットワークと前記ユーザ装置との間の接続の回復を制御するように適合された、前記ネットワークに含まれるべきネットワークノード（８００）の配置構成であって、
−  少なくとも一つの条件を定義する一又は複数のユーザ装置に設定メッセージ（６０２）を送るように構成された送信機（８０３）と、
−  前記第１のセルへの接続の問題を検出した時に、前記少なくとも一つの条件を評価し、隣接セルに対して前記少なくとも一つの条件が満たされた場合に前記隣接セルへの接続の回復を開始するために、前記少なくとも一つの条件が満たされなかった場合に適用される少なくとも一つの基準とは異なる少なくとも一つの特別基準を適用するように前記一又は複数のユーザ装置を構成する（６０５、６０６）ように配置された処理回路を備えるプロセッサ（８０１）と
を備える、ネットワークノード（８００）の配置構成。
【請求項３３】
前記少なくとも一つの条件が、ユーザ装置（７００）が前記隣接セルのカバレージ内にあるか否かを判断することに関連する、請求項３２に記載の配置構成。
【請求項３４】
隣接セル（Ｂ）から受信した信号が閾値よりも強い場合に、前記隣接セルに対して条件が満たされる、請求項３３に記載の配置構成。
【請求項３５】
前記隣接セル（Ｂ）に対して測定イベントがトリガされた場合に条件が満たされる、請求項３３又は３４に記載の配置構成。
【請求項３６】
隣接セル（Ｂ）に対して測定イベントがトリガされたことを示す測定報告が前記ネットワークに送信された場合に、前記隣接セルに対して条件が満たされる、請求項３３に記載の配置構成。
【請求項３７】
隣接セル（Ａ）に対して測定イベントがトリガされたことを示す測定報告が良好に送信されたという確認を前記ネットワークから受信した場合に、前記隣接セルに対して条件が満たされる、請求項３３に記載の配置構成。
【請求項３８】
前記少なくとも一つの条件が満たされた場合に、接続の回復を開始するために前記少なくとも一つの特別基準が適用される少なくとも一つのセルの指示を一又は複数のユーザ装置（７００）に送信する（６０７）ように構成された送信機（８０３）を備える、請求項３２から３７のいずれか一項に記載の配置構成。
【請求項３９】
以前の接続の問題の情報を用いて、どのセルを前記一又は複数のユーザ装置（７００）に指示するべきかを確定する（６０１）ように構成された処理回路を備える、請求項３８に記載の配置構成。
【請求項４０】
回復要求についての情報を隣接ネットワークノードから受信して（６００）、一又は複数のユーザ装置（７００）にどのセルを指示するべきかを確定する（６０１）ように構成された受信機（８０２）を備える、請求項３８又は３９に記載の配置構成。  
【請求項４１】
前記送信機（８０３）が、前記メッセージに指示された少なくとも一つのセルを制御している少なくとも一つのネットワークノードに準備メッセージ（６０４）を送って、上記ネットワークノードに、前記一又は複数のユーザ装置から接続回復要求を受信する準備をさせるように構成される、請求項３８から４０のいずれか一項に記載の配置構成。  
【発明の詳細な説明】
【技術分野】
【０００１】
本発明は、接続の問題が検出された時に、接続回復の開始を制御することに関するものである。
【背景技術】
【０００２】
ユーザ装置（ＵＥ）等の通信装置は、例えばモバイル端末、無線端末、及び／又は移動局とも呼ばれる。ユーザ装置は、時々セルラー無線システム又はセルラーネットワークとも呼ばれる、セルラー通信ネットワーク又は無線通信システムにおいて無線で通信できるようになっている。通信は、セルラー通信ネットワーク内に含まれる、例えば２つのユーザ装置の間で、ユーザ装置と普通の電話の間で、及び／又はユーザ装置と、無線アクセスネットワーク（ＲＡＮ）、場合によっては一又は複数のコアネットワークを介して、サーバとの間で行うことができる。
【０００３】
ユーザ装置はさらに、また幾つか例を挙げるだけでも、無線携帯電話、セルラー方式の携帯電話、ノートパソコン、又は無線機能を有する定盤等とも呼ぶことができる。本発明のユーザ装置は、ＲＡＮを介して例えば別のユーザ装置又はサーバ等の別のエンティティと声及び／又はデータ通信ができるようになっている例えば、ポータブル、ポケット収納可能、ハンドヘルド、コンピュータからなる、又はビークル装着モバイル装置であってよい。ユーザ装置の概念は、必ずしもユーザとのやり取りがあるわけではないセンサ、測定装置等の機械的な種類の特性の通信機能を有する装置も含む。
【０００４】
セルラー通信ネットワークは、セルエリアに分割される地理的エリアを網羅し、各セルエリアは、使われる技術及び専門用語に応じて、基地局、例えば時々「基地局」、「ｅＮｏｄｅＢ」、「ＮｏｄｅＢ」、「Ｂノード」、又はＢＴＳ（送受信基地局）と呼称されうる例えば無線通信基地局（ＲＢＳ）によってサービス提供される。基地局は、通信力に、したがってセルのサイズに基づき、例えばマクロｅＮｏｄｅＢ、ホームｅＮｏｄｅＢ、又はピコ基地局等の異なる種類のものである。セルは、基地局のサイトにおいて基地局によって無線通信のカバレージが提供される地理的エリアである。
【０００５】
ＬＴＥモビリティ
モビリティの管理は、セルラー通信システムにおいて難しい作業であり、エンドユーザが経験する品質に対し正しく機能しているモビリティ性能は極めて重要である。Ｒａｄｉｏ  Ｒｅｓｏｕｒｃｅ  Ｃｏｎｔｒｏｌプロトコル、ＲＲＣ（３ＧＰＰ  ＴＳ３６．３３１参照）は、ＬＴＥ無線通信アクセスネットワーク（Ｅ−ＵＴＲＡＮ）を構成し、再構成し、また標準接続処理を行うための主要シグナリングプロトコルである。ＲＲＣは、接続設定、モビリティ、測定、無線通信リンクの失敗及び接続リカバリ等の多くの機能を制御する。  
【０００６】
ＬＴＥにおけるユーザ装置、ＵＥは２つのＲＲＣ状態：ＲＲＣ＿ＣＯＮＮＥＣＴＥＤ及びＲＲＣ＿ＩＤＬＥにありうる。ＲＲＣ＿ＣＯＮＮＥＣＴＥＤ状態においては、モビリティは例えばユーザ装置によって提供される測定値等に基づいてネットワーク制御される。つまり、ネットワークは、例えばユーザ装置によって提供される測定報告等に基づいて、いつ、そしてどのセルにユーザ装置をハンドオーバするべきかを決定する。Ｅ−ＵＴＲＡＮにおいてｅＮＢと呼ばれるネットワーク、すなわちＬＴＥ無線通信基地局は、ユーザ装置が現在のセルから外へ移動する際に、ネットワークがユーザ装置をより強いセルにハンドオーバする決定を行うことができるように、ユーザ装置が次にネットワークに送る報告に基づいて、様々な測定イベント、閾値等を構成する。
【０００７】
図１は、ＬＴＥハンドオーバ、ＨＯ手順の簡略化したシグナリングスキームの図である。ＨＯコマンドは実際、ユーザ装置がハンドオーバされるＴａｒｇｅｔ  ｅＮＢ、すなわちｅＮｏｄｅＢにおいて作成されるが、メッセージはＳｏｕｒｃｅ  ｅＮＢを介して送信されることに注目すべきである。つまり、ユーザ装置の視点からはメッセージはＳｏｕｒｃｅ  ｅＮＢから来るのである。
【０００８】
ＲＲＣ＿ＩＤＬＥにおいては、モビリティはＵＥベースのセル選択によって処理され、ＵＥベースのセル選択では、移動ユーザ装置が、例えばセルにおいて送信される様々な特定基準及びパラメータに基づき、とどまる「最高の」セルを選択する。例えば、様々なセルまたは周波数層を互いに優先順位づけすることが可能であり、これによりユーザ装置は、特定セルのビーコン又はパイロットの測定品質の閾値が、別のセルから受信した他の幾つかのビーコン又はパイロットよりも優れている限りはそのセルにとどまろうとする。
【０００９】
本発明は、上述したネットワーク制御のモビリティ、すなわちＲＲＣ＿ＣＯＮＮＥＣＴＥＤ状態にあるＬＴＥユーザ装置関連の問題に主に注目する。したがって、ハンドオーバの失敗に伴う問題を、下により詳しく説明する。
【００１０】
普通の状況において、またＲＲＣ＿ＣＯＮＮＥＣＴＥＤユーザ装置がソースセルとも呼ばれる第１のセルのカバレージから外へ移動する時に、第１のセルへの接続を失う前に、ターゲットセル、または第２のセルとも呼ばれる隣接セルにハンドオーバされる必要がある。つまり、エンドユーザがハンドオーバが行われていることに気づかないように、ハンドオーバの間中、途絶なく、又は最小限の途絶で接続が維持されることが望ましい。これを成功させるためには、
・  ユーザ装置によってモビリティの必要を示す測定報告が送信され、これをＳｏｕｒｃｅ  ｅＮＢが受信し、
・  Ｓｏｕｒｃｅ  ｅＮＢは（分けても、ターゲットセルを制御しているＴａｒｇｅｔ  ｅＮＢからハンドオーバを要求することによって）ターゲットセルへのハンドオーバの準備をするのに十分な時間を有し、
・  ターゲットセルを制御しているＴａｒｇｅｔ  ｅＮＢによって作成され、ソースセルを介してユーザ装置に送信されたハンドオーバコマンドメッセージを、ユーザ装置がネットワークから受信する
ことが必要である（図１参照）。
【００１１】
加えて、ハンドオーバが成功するためには、ユーザ装置は、ターゲットセルへの接続を確立することを最終的に成功させる必要があり、ＬＴＥにおいては、ターゲットセルにおける良好なランダムアクセス要求と、その後のユーザ装置からＴａｒｇｅｔ  ｅＮＢへのＨＯコンプリートメッセージの送信が要求される。メッセージのネーミングにおいて仕様が若干異なる場合があることに注目すべきである。
【００１２】
このため、ハンドオーバが成功するためには、良好なハンドオーバにつながるイベントのシーケンスが十分早く開始されることにより、シグナリングが行われる第１のセルへの無線通信リンクが、シグナリングが完了する前に低下しすぎないことが必要であることが明らかである。ソースセル（すなわち、第１のセル）において、ハンドオーバのシグナリングが完了する前に上記低下が起こると、ハンドオーバが失敗しやすい。上記のハンドオーバの失敗は明らかに望ましくないことである。現在のＲＲＣの仕様はしたがって、測定を十分に構成することにより、ハンドオーバの必要が確実に、そして十分早期に検出することができるように、様々なトリガ、タイマー、及び閾値を提供している。
【００１３】
図１では、例示の測定報告がＡ３イベントと呼ばれる測定イベントによってトリガされる。Ａ３イベントは要するに、隣接セルが現在のサービングセルよりもオフセットだけ良好であることを意味する。これは、このイベントに関する一又は複数の基準が満たされた時に、測定報告がネットワークに送られることを意味する。多数の異なる種類の測定イベントが存在し、報告をトリガするように構成されうる複数のイベントがあることに注目すべきである。
【００１４】
ＬＴＥ用語のｅＮｏｄｅＢ等の、セルを制御しているネットワークノードにより、隣接セルの関係リストが維持される。本発明において隣接セルを参照する時はいつでも、ネットワークノードの隣接セルの関係リストに通常含まれるセルを参照していると理解すべきである。隣接セルはしたがって、多くの場合ハンドオーバの候補のセルである。ある場合には、ネットワークノードにより、ネットワークノードが制御している各セルに関する隣接セルのリストが維持される。ユーザ装置の視点から、隣接セルは、ユーザ装置が現在接続されているセルと近接している、又はそれと重なっているセルである。
【００１５】
無線通信リンクの失敗及びＲＲＣ接続の回復
ユーザ装置は、ユーザ装置が現在接続しているセルへのカバレージを失う可能性がある。これは、ユーザ装置がフェーディングディップに入った時、又は上述したようにハンドオーバが必要であるが、ハンドオーバがある理由、又は他の理由で失敗した状況で起こりうる。これは特にさらに下に説明するように、「ハンドオーバ領域」が非常に短い場合にあてはまる。
【００１６】
無線通信リンクの品質は通常、例えば３ＧＰＰ  ＴＳ  ３６．３００、ＴＳ  ３６．３３１及びＴＳ  ３６．１３３に記載されるように物理層上のユーザ装置においてモニタリングされ、下に要約される。
【００１７】
ＴＳ  ３６．１３３において定義される基準にしたがって、物理層に問題があることが検出されると、物理層は非同期指示と呼ばれる検出された問題のＲＲＣプロトコルに指示を送る。上記の連続指示の設定可能な番号Ｎ３１０の後に、タイマーＴ３１０が開始される。Ｔ３１０が実行されている間にリンク品質が改善（リカバリ）しない場合、すなわち、物理層からのＮ３１１連続「同期」指示がない場合、無線通信リンクの失敗、ＲＬＦがユーザ装置において認定される（図２参照）。
【００１８】
上述した現在関連性のあるタイマー及びカウンターは、参照のために図４に記載されている。ユーザ装置は、セルに送信されたシステム情報から、タイマーの値及びカウンターの定数を読み取ることができる。あるいは、ユーザ装置は、特定値及び定数が特定のユーザ装置に付与され、メッセージは一又は複数の特定のユーザ装置にのみ向けられる専用シグナリングを使用して、タイマー及びカウンター定数のＵＥ特定値で構成することが可能である。  
【００１９】
ＬＴＥの無線通信リンクの失敗をモニタリングするために使用されるタイマー及びカウンターの機能は、図３の表に提示されている。
【００２０】
Ｔ３１０が終了した場合、ユーザ装置は進行中のＲＲＣ接続をリカバリするために接続の回復を開始する。この手順には、ユーザ装置によるセルの選択が含まれる。つまり、説明した測定値による前のセルとの接続が失敗したために、ＲＲＣ＿ＣＯＮＮＥＣＴＥＤユーザ装置は、接続するためのより良好なセルを自律的に探す。ユーザ装置がとりあえず最初のセルに戻る場合もあるが、同じ手順がその後も実行される。例えば、３ＧＰＰ  ＴＳ  ３６．３０４にさらに記載されるように、好適なセルが選択されると、ユーザ装置は選択されたセルにおいて接続を回復するように要求する。普段適用されるネットワーク制御モビリティとは対照的に、ＲＬＦのようなモビリティ挙動の差により、ユーザ装置に基づいてセルが選択されることに注意すべきである。
【００２１】
回復が良好である場合、とりわけこれは、選択されたセルと、そのセルを制御しているｅＮＢがユーザ装置への接続を維持するように準備されているかに依存し、これは回復要求を受け入れるように準備されていることを暗示しているが、ユーザ装置とｅＮＢとの間の接続を再開することができる。ＬＴＥでは、回復手順には、選択されたセルにおけるランダムアクセス要求、そしてその後、それに基づいてユーザ装置を識別し認証できるコンテンツを有するメッセージをユーザ装置が送る上位層シグナリングが含まれる。これは、どのユーザ装置が回復を実施しようとしているかを正確に把握していることをネットワークが信頼できるために必要である。
【００２２】
回復の失敗とは、ユーザ装置がＲＲＣ＿ＩＤＬＥ状態となり、接続が解放されることを意味する。通信を継続するためには、その後新たなＲＲＣ接続が要求され確定される。例えば、回復要求を受信するｅＮＢが、回復を要求するユーザ装置を識別することができない場合、失敗する可能性がある。上記の状況は、受信しているｅＮＢが、このユーザ装置から可能な回復について通知されていない、又はそのために準備されていない場合に起こりうる。  
【００２３】
上述したタイマーＴ３１ｘ及びカウンターＮ３１ｘを導入する理由は、無線通信リンクが失敗し、回復が必要であると考えられる時に、基準の構成に対しある程度の自由とヒステリシスを加えるためである。これは、接続が不完全に途切れ、またリンクの質の損失が一時的であり、ユーザ装置が例えばＴ３１０が終了する前に、又はカウンターの値がＮ３１０に達する前に任意のさらなる動作又は手順なしで接続をリカバリすることができた場合、エンドユーザの能力に悪影響を与えるため、望ましい。
【００２４】
回復手順は下に記載される。
ターゲットセルを制御しているｅＮＢ等のネットワークノードが、ＲＲＣ接続回復要求等のユーザ装置からのリカバリ要求メッセージを受信する。このメッセージに応答して、ターゲットｅＮＢは、ターゲットｅＮＢが回復要求を受ける、ユーザ装置に送られたＲＲＣ接続回復メッセージで応答しうる。このメッセージには、新たなセルにおいて接続に適応し継続することができるように、様々な構成パラメータが含まれうる。例えばセルの再選択又はハンドオーバへの任意の参照などの、他のメッセージ名も当然ながら適用可能である。
【００２５】
回復メッセージを受信すると、ここでユーザ装置はそのメッセージのコンテンツを処理し、そこに付与されているコンテンツとコマンドにしたがってＲＲＣ接続を再開する。通常、ユーザ装置はさらにターゲットセルのｅＮＢに、ユーザ装置とターゲットｅＮＢとの間の通信が今再開できることを示す確認メッセージを送る。例えば、ＲＲＣ接続回復要求、回復メッセージ、及びその後の確認メッセージは通常、ユーザ装置の確実な識別をサポートするフィールド、及び競合解決をサポートするフィールドを含み、これにより、ユーザ装置とその接続を明確に確実に識別することができる。
【００２６】
最近の急速なＭｏｂｉｌｅ  Ｂｒｏａｄｂａｎｄの取り込みの結果、セルラーネットワークの容量を増加させる必要が出てきた。上記容量を増加させるためのある解決法とは、異なるサイズのセルの幾つかの層でできたより密度が高いネットワークを使用することである。マクロセルは、セルが広い領域を包含するためカバレージが確実に広がるが、マイクロ、ピコ、またさらにフェムトセルは、容量の需要が高いホットスポットエリアで展開される。これらのセルは通常、かなり狭いエリアでの接続を提供するが、追加のセル、及びこれらのセルを制御している無線通信基地局を加えることで、新たなセルによりマクロの負荷が軽減されるために容量が増加する。上記ネットワークは、Ｈｅｔｅｒｏｇｅｎｅｏｕｓ  Ｎｅｔｗｏｒｋｓ、又はＨｅｔＮｅｔｓと呼ばれる。図９は、ピコセルＡのカバレージからマクロセルＢのカバレージに移動しているＵユーザ装置Ｅを示している。
【００２７】
異なる「層」のセルは同じキャリア、すなわち再利用−１の形態で展開可能であり、小さいセルを異なるキャリア上で展開することができ、様々な層の異なるセルさえも、異なる技術、例えば非限定的に、マクロ及びマイクロ層の３Ｈ／ＨＳＰＡ、ピコ層のＬＴＥ等を使用して展開することができる。
【００２８】
現在、上記ＨｅｔＮｅｔｓの可能性を調査することに多大な関心が集まっている。しかしながら、ＨｅｔＮｅｔｓは結果的に、上に簡単に述べたように、ハンドオーバの失敗率を上げる可能性があることも分かっている。一つの理由としては、ＨｅｔＮｅｔｓのハンドオーバ領域は非常に短いため、つまり、ターゲットセルへのハンドオーバが完了できる前に、ユーザ装置がソースセルへのカバレージを失うために、ハンドオーバが失敗する場合があるということである。例えば、ユーザ装置がピコセルから離れると、ピコのカバレージの境界線がはっきりしており、ユーザ装置がピコへのカバレージを失う前に、マクロへの任意のハンドオーバコマンドを受信することを失敗することが起こりうる（図４参照）。
【００２９】
マクロセルに接続されたユーザ装置が同じキャリア上のピコセルにいきなり入った時に、同様の問題が起こりうる。ここで、ピコの制御チャンネルが、ハンドオーバを完了させるためにマクロからユーザ装置が受信しなければならない信号と干渉し、これによりハンドオーバが失敗することが起こりうる。
【００３０】
上に例示した種類のハンドオーバの失敗において、ユーザ装置は最終的にＲＲＣ接続を回復しようとする。しかしながらこれは、上述したように、リカバリ手順が完了する前の手順の後でのみ起こりうる。このため、ユーザ装置はソースセルへの層１、Ｌ１の「非同期」を観察し、これらのイベントは、Ｎ３１０上記連続イベントが発生するまで、層３、Ｌ３レベル、すなわち上述したようにＲＲＣ上でカウントされ、その後Ｔ３１０が開始される。Ｔ３１０が終了した時にのみ、ユーザ装置は、ＲＲＣ接続をリカバリするために接続する、より良好なセルを検索することによって、回復手順を開始することができる。
【００３１】
この（Ｎ３１０までの）カウントと、Ｔ３１０が終了するまでの待機により、エンドユーザが遭遇しやすい望ましくない接続の中断が起こる。
【００３２】
したがって、ネットワークは、リカバリを昇速するために、（非限定的な例としてＮ３１０及びＴ３１０を有する）関連するカウンタ及びタイマーの値が小さくなるように構成すべきであるといえる。しかしながら、この結果、無線通信の問題が直近のハンドオーバが原因ではなく、突発的なフェーディングディップだけが原因である場合に、接続の早期損失が起きる可能性がある。
【発明の概要】
【００３３】
上記の問題の結果、例えば本明細書に記載したハンドオーバの問題と、より一般的な経路損失及び干渉が時間依存的に変動するフェーディングチャネルのより一般的な場合の両方に好適であろう関連カウンタ及びタイマーの値等の、接続回復をトリガするための好適な基準を見つけることは難しい。
【００３４】
したがって、本発明の実施形態の目的は、エンドユーザが接続の解放と認識することになる、任意の数のハンドオーバの失敗を低減する解決策を提供することである。
【００３５】
さらに具体的には、本発明の実施形態の第１態様は、ユーザ装置、ＵＥにおいて前記ユーザ装置とネットワークとの間の接続の回復を制御する方法に関し、前記ユーザ装置は前記ネットワークに含まれる第１のセルでリンクが確立されている。前記方法には、
−  少なくとも一つの条件を定義するネットワークから設定メッセージを受信し、
−  第１のセルへの接続の問題が検出されたら、前記少なくとも一つの条件を評価し、
−  隣接セルに対して前記少なくとも一つの条件が満たされた場合に、前記隣接セルへの接続回復を開始するための、前記少なくとも一つの条件が満たされない場合に適用される少なくとも一つの基準とは異なる少なくとも一つの特別基準を適用する
ステップが含まれる。
【００３６】
本発明の一実施形態の第２態様は、ネットワークに含まれるべきネットワークノードにおいて、ネットワークとユーザ装置との間の接続回復を制御する方法に関し、前記ネットワークは、ネットワークに含まれる第１のセルにおいてユーザ装置のリンクを確立している。前記方法には、
−  少なくとも一つの条件を定義する一又は複数のユーザ装置に設定メッセージを送信し、
−  第１のセルへの接続の問題を検出した時に、前記少なくとも一つの条件を評価するように前記一又は複数のユーザ装置を構成し、
−  前記隣接セルに対して前記少なくとも一つの条件が満たされた場合に、隣接セルへの接続の回復を開始するための、前記少なくとも一つの条件が満たされない場合に適用される少なくとも一つの基準とは異なる少なくとも一つの特別基準を適用するように前記一又は複数のユーザ装置を構成する
ステップが含まれる。
【００３７】
本発明の実施形態の第３態様は、前記ユーザ装置とネットワークとの間の接続回復を制御するように適合されたユーザ装置に関し、前記ユーザ装置は前記ネットワークに含まれる第１のセルにおいてリンクが確立されている。ユーザ装置は、
−  少なくとも一つの条件を定義するネットワークから設定メッセージを受信するように構成される受信機と、
−  第１のセルへの接続の問題が検出された時に少なくとも一つの条件が満たされた場合に評価するように構成された回路と、前記隣接セルに対して少なくとも一つの条件が満たされた場合に、前記隣接セルへの接続の回復を開始するための、前記少なくとも一つの条件が満たされない場合に適用される少なくとも一つの基準とは異なる前記少なくとも一つの特別基準を適用するように構成された回路とを備えるプロセッサと
を備える。
【００３８】
本発明の実施形態の第４態様は、ネットワークに含まれるべきであり、ネットワークとユーザ装置との間の接続の回復を制御するように適合しているネットワークノードの配置構成に関し、前記ネットワークは、ネットワークに含まれる第１のセルにおいてユーザ装置のリンクを確立している。配置構成は、
−  少なくとも一つの条件を定義する一又は複数のユーザ装置に設定メッセージを送信するように構成された送信機と、
−  第１のセルへの接続の問題を検出した時に、前記少なくとも一つの条件を評価し、隣接セルに対して前記少なくとも一つの条件が満たされた場合に、前記隣接セルへの接続の回復を開始するために、前記少なくとも一つの条件が満たされていない場合に適用される少なくとも一つの基準とは異なる少なくとも一つの特別基準を適用するように前記一又は複数のユーザ装置を構成するように配置された処理回路と
を備える。
【００３９】
このため、実施形態は、ハンドオーバの失敗が起こりやすい困難な無線通信環境において中断時間を削減するように実施される。素早く接続を回復することによって、エンドユーザが経験するすべての中断時間が削減される。特定の実施形態ではまた、良好な接続のリカバリの可能性も確実に高くなる。
【００４０】
本発明の他の目的、利点及び新規の特徴は、本発明の下記の詳細説明から、添付の図面及び請求項と合わせて考慮する時に明らかになるだろう。
【００４１】
本発明の前述の目的及び他の目的、特徴及び利点は、図面に示される好ましい実施形態の下記の詳細説明から明らかになるだろう。
【図面の簡単な説明】
【００４２】
【図１】ＬＴＥハンドオーバ手順を示す、簡略化されたシグナリングの図である。
【図２】無線通信リンクの失敗、ＲＬＦがどのようにＬＴＥで認定されているかを示す図である。
【図３】ＲＬＦがどのようにＬＴＥにおいてモニタリングされているかを示す図である。
【図４】ピコ／マクロ対マクロ／マクロセル変更のハンドオーバ領域の概念を示す図である。
【図５】ユーザ装置において実施される実施形態による方法のフロー図である。
【図６】ネットワークノードにおいて実施される実施形態による方法のフロー図である。
【図７】実施形態によるユーザ装置の概略図である。
【図８】実施形態によるネットワークノードの配置構成の概略図である。
【図９】ピコセルＡのカバレージからマクロセルＢのカバレージに移動しているＵユーザ装置Ｅを示す図である。
【発明を実施するための形態】
【００４３】
下記の記載事項では、本発明を完全に理解できるようにするために、説明する目的で非限定的に、特定のアーキテクチャ、インターフェース、技術等の具体的な詳細が記載される。しかしながら、当業者には、本発明がこれらの具体的な詳細から逸脱した他の実施形態で実行されうることが明らかになるだろう。他の場合には、不必要な詳細を加えることで本発明の説明が分かりにくくならないように、既知のデバイス、回路、及び方法の詳細説明が省略されている。
【００４４】
明細書中での「ある実施形態」又は「一実施形態」という言及は、その実施形態に関連して記載されている、特定の特徴、構造、または特性が本発明の少なくとも１つの実施形態に含まれていることを意味する。本明細書のさまざまな箇所にある「ある実施形態において」又は「一実施形態において」という語句は、必ずしも同一の実施形態について言及しているとは限らない。さらに、特定の特徴、構造、又は特性を、一又は複数の実施形態において任意の好適な方法で結合させることができる。
【００４５】
本発明は、ＬＴＥとも呼ばれるＥ−ＵＴＲＡＮにおいて説明される。本明細書で説明した問題及び解決策は、無線アクセスネットワーク及びユーザ装置、ユーザ装置が実行している他のアクセス技術及び標準に同等に適用可能であることを理解すべきである。ＬＴＥは、本発明が好適である例示の技術として使用されるため、説明においてＬＴＥを使用することはしたがって、問題と、その問題を解決する解決策を理解するのに特に有用である。
【００４６】
本発明を実行する様々な代替実施形態を以下に、非限定的な例を使用して説明する。
【００４７】
ネットワーク制御モビリティを実行する接続モードにあり、例えばピコセル等の第１のセルに接続されているユーザ装置を考慮する。「セルに接続されている」という表記は、ユーザ装置が少なくともこのセルにおいてデータを送信及び／又は受信するように構成されることを暗示していることに注目すべきである。時々、このセルは「サービングセル」、又は「一次セル」、ＰＣｅｌｌとも呼ばれる。セルは通常、無線通信基地局等の一つのネットワークノードによって制御され、「セルに接続されている」ということはこの点において、ユーザ装置が「第１無線通信基地局に接続されている」、つまり、上述のセルを制御している無線通信基地局に接続されていることと同じことを意味する。時々、この無線通信基地局はＳｅｒｖｉｎｇ  ｅＮＢ、又はサービング無線通信基地局と呼ばれる。
【００４８】
この実施例では、ピコセルは、図９に示すようにずっと広いエリアにおいてカバレージを提供するマクロセルによって「囲まれている」。ユーザ装置が小さいピコセルのカバレージ外に移動する時に、図４に示すように、現在接続されているピコセルのカバレージを急速に喪失する。上記の状況においては、ハンドオーバが完了する前にユーザ装置がピコセルへの接続を喪失する可能性が高くなり、これはつまり、ユーザ装置の無線通信リンクが失敗し、前述したように望ましくない接続中断が引き起こされる。
【００４９】
ユーザ装置がマクロセルから別のセル、例えばハンドオーバ領域が非常に短いピコセルへ移動した場合も、同じ問題が起こりうる。ユーザ装置が高速で移動している場合、問題はさらに増大する。
【００５０】
本発明の実施形態は、特定の隣接セルにおいて接続の回復を実施するために、そのセルに対して少なくともある特定の条件が満たされた場合に限り、無線通信リンクの失敗の平素の、又は「通常の」評価をバイパスする可能性を提供する。
【００５１】
図５は、本発明の実施形態にしたがって、ユーザ装置、ＵＥによって実施される方法ステップの概略図であり、前記ユーザ装置は、第１のセル、この実施例においてはピコセルにおいてリンクが確立されている。ステップ５０１では、ユーザ装置は、第１のセルへの接続の問題が検出された時に、ユーザ装置によって評価されるべき少なくとも一つの条件を定義するネットワークから設定メッセージを受信する。前記設定メッセージは、放送チャンネルで又は専用シグナリングを介して受信することができる。
【００５２】
上記条件は、ユーザ装置が任意の隣接セルのカバレージ内にあるか否かを判断することに関連しうる。ユーザ装置が隣接セルのカバレージ内にあるか否かの評価は、隣接セルから受信した信号が特定値、例えば閾値よりも強いか否かに基づくものであってよい。上記受信信号の「強度」を定義する様々な品質パラメータ、例えば受信信号電力の測定及び経路損失関連及び干渉関連の測定基準を実行することができる。これには例えば、参照記号受信電力（ＲＳＲＰ）及び参照記号受信品質（ＲＳＲＱ）が含まれる。
【００５３】
ネットワークは、装置自体が指示されたセルのカバレージ領域内にあるとユーザ装置が見なすべきか否かを定義する一又は複数の閾値を有するように、ユーザ装置を構成することができる。ネットワークは、ユーザ装置が指示されたセルのカバレージ領域内にあるか否かを評価する時に、ユーザ装置によって使用される品質パラメータを有するようにユーザ装置を構成することもできる。例えば、上述した例において指示されたセルのＲＳＲＱがｘ  ｄＢ（ここでｘは設定された閾値を表す）よりも大きい場合、次にユーザ装置はそれ自体がそのセルのカバレージ領域内にあると判断する。
【００５４】
ユーザ装置が、複数の隣接セルに対して前記少なくとも一つの条件が満たされている、例えばユーザ装置が複数のセルのカバレージ内にあると識別した場合、これらのもののうちで選択の優先順位づけをするための追加の基準があってよい。例えば、ユーザ装置は最良のセルを選択することができ、ここで「最良」は、上記の測定基準の観点において定義され、これにより例えば、最強の信号又は最良の信号品質を有するセルが選択される。あるいは、隣接セルリストに含まれるセル間の相対的優先順位等の定義された追加の優先順位基準であってよく、又は別のセルＢ、又は別の周波数層Ｆ＿Ｂ上のセルと比較した時に、測定基準の観点において一又は複数のセルがｘ  ｄＢだけ優れている場合に、例えばそのセルＡを定義するオフセット、又は周波数層Ｆ＿Ａ上のセルが選択されるべきである。
【００５５】
ユーザ装置が第１のセル、この実施例ではピコセルのカバレージ領域から外へ移動する時に、ユーザ装置は物理層の問題、又は第１のセル、すなわちピコセルへの接続に関連する他の問題を検出する（ステップ５０３参照）。物理層の問題の検出には、物理層から非同期指示を受信する、又は第１のセルへの特定の絶対レベルを下回る、参照記号受信電力、ＲＳＲＰ、又は参照記号受信品質、ＲＳＲＱを読み取ることが含まれうる。ネットワークは、ユーザ装置がソースセルへの接続に問題があると判断すべきか否かを定義するＲＳＲＰ又はＲＳＲＱの一又は複数の閾値を有するようにユーザ装置を構成することができる。別の代替例によれば、第１のセルへの接続の問題の検出には、ハンドオーバに関する測定イベントがトリガされた時にタイマーを開始するステップが含まれ、タイマーが終了する前に実行されたハンドオーバがない場合、接続の問題が検出される。
【００５６】
ステップ５０４では、ユーザ装置は前記少なくとも一つの条件が満たされるか否かを評価する。前記条件はすでに記載したように、ユーザ装置が隣接セルのカバレージ内にあるか否かの判断に関連しうる。さらに下に示すように、隣接セルに関連する特定の一又は複数の条件が満たされているか否かを確認することによって、評価が行われる。上記の場合には、ユーザ装置は、前記セルへの接続回復を開始するための一又は複数の特別基準を適用することによって、上記セルへのすばやい接続の回復を実行する（ステップ５０５参照）。
【００５７】
特定の実施形態では、条件は、前記隣接セルからの受信信号が閾値よりも強い時に満たされる。
【００５８】
代替実施形態によれば、条件は、測定イベント、例えばＡ３が前記隣接セルに対してトリガされる時に満たされる。あるいは、隣接セルに対する条件は、測定イベントが隣接セルに対してトリガされたことを示す測定報告がネットワークに送信された場合に満たされる。さらに別の代替例によれば、隣接セルに対する条件は、測定イベントが隣接セルに対してトリガされたことを示す良好に送信された測定報告の確認をネットワークから受信した場合に満たされる。
【００５９】
ユーザ装置に対してすでに定義された測定イベントに条件が結びついている実施形態の利点は、ターゲットセルの新たな測定値を定義する必要がないことである。
【００６０】
後者２つの実施形態、すなわち報告が送信され、報告の確認がそれぞれ受信される時に条件が満たされることの利点は、ユーザ装置が隣接セル、この場合はターゲットセルへ移動しようとしていることをネットワークが知り、ターゲットセルの準備等の必要な準備を開始することができることである。Ａ３イベントは単なる例であり、他の測定イベントを異なる実施形態において適用できることに注目すべきである。
【００６１】
隣接セルに対して前記少なくとも一つの条件が満たされると、ステップ５０５にしたがって、次に前記隣接セルへの接続の回復を開始するための少なくとも一つの特別基準が適用される。前記特別基準は、前記少なくとも一つの条件が満たされていない場合に適用される接続の回復を開始するための少なくとも一つの基準とは異なる。
【００６２】
前記少なくとも一つの条件が隣接セルに対して満たされていない場合、ユーザ装置は接続の回復を開始するために通常の一又は複数の基準を適用し（ステップ５０６参照）、例えば標準のセル選択手順に基づいて、場合により通常の回復手順を行う。
【００６３】
任意のステップ５０７では、ユーザ装置はネットワークから、少なくとも一つの条件が満たされている場合に、前記少なくとも一つの特別基準を適用すべき少なくとも一つのセルの指示を受信する。前記指示は、いくつかの実施形態では、ステップ５０１で受信した設定メッセージに含まれうる。
【００６４】
ステップ５０１又は５０７においてユーザ装置に提供される少なくとも一つのセルの指示は、異なる形態であってよい。特定の実施形態によれば、前記指示は、第１のセルのすべての隣接セルの指示を含む。この場合、特定のセルを具体的に指示する、又は指し示す必要はないが、すばやい回復手順のための前記少なくとも一つの特定条件が満たされる場合はいつでも、ネットワークから一又は複数のユーザ装置へ送られる、ユーザ装置が素早い回復の解決策が可能になる一又は複数の特別基準を適用することを提示する指示があるだけである。
【００６５】
別の特定の実施形態によれば、前記指示は、前記周波数層上のすべての隣接セルが指示されるように、特定の周波数層の指示を含む。これは、少なくとも一つの条件が満たされた場合、ユーザ装置は、前記少なくとも一つの条件が満たされた場合に特定の周波数層上であるが、別の周波数層上ではないセルへのすばやい接続回復の解決法を適用するべきであることを意味する。またこのような場合には、特定の周波数層上のすべての隣接セルが単一指示で指示されるため、層上の特定のセルを指示する必要はない。
【００６６】
さらに別の特定の実施形態によれば、前記指示は、少なくとも一つの条件が満たされた場合に、ユーザ装置が素早い接続の回復を実施する、指示されたセルのリストを含む。この指示がセルのリストの形態で提供された場合、リスト上のセルは、セルの識別子、通常はこれらセルの物理的なセルの固有性、ＰＣＩによって識別されるが、リスト上のセルを識別するための他の指標又は識別方法も適用可能である。上記リストには、前記識別子によって指示されるセルがどの周波数層に見つかるかの指示も含まれうる。
【００６７】
ステップ５０７において提供される指示は、放送チャンネル、ＬＴＥ専門用語ではＢＣＣＨでユーザ装置に提供されうる、又は指示は、メッセージが特定のユーザ装置、又は一群のユーザ装置に送られるが、そのセルのすべてのユーザ装置には送られない専用シグナリングによって提供されうる。放送シグナリングは通常、一又は複数のメッセージがセルのカバレージ内で幾つかの、又はすべてのユーザ装置に送られることを暗示する。メッセージはその後、しばしば定期的に繰り返され、これによりセルに入るユーザ装置が次の機会に一又は複数のメッセージを受信することができる。ネットワークからの専用シグナリングは通常、メッセージの送信において具体的にこのユーザ装置、又は一群のユーザ装置のアドレスを指定することによって、メッセージが一つの特定の受信機、又は一群の受信機に向けられたものであることを暗示する。このため、メッセージは一回だけ送ることができ、その後受信したユーザ装置から確認が送信される。
【００６８】
接続の回復を開始するために満たすべき一又は複数の基準の適用には、いくつかの実施形態では、ユーザ装置が指示されたセルにおいて接続の回復を開始する時に、評価のためのカウンター及び／又はタイマーの使用が含まれる。カウンター及び／又はタイマーは、「通常の」リカバリ手順において使用されるものと同じであってよい。例えば、ネットワークは、１０に等しいカウンター値Ｎ３１０、及び５００ミリ秒に等しいタイマー終了値Ｔ３１０を有するようにユーザ装置を構成する。「通常の」接続の回復は次に、１０の連続的な「非同期」指示の後で開始され、次にタイマーＴ３１０の開始及び終了、すなわち０．５秒の待機時間が発生する。それによって初めて、ユーザ装置は、ユーザ装置が回復要求を実施するセルを選択する。  
【００６９】
特定の実施形態によれば、回復は、前記少なくとも一つの条件が隣接セルに対して満たされた時直ちにそのセルに対して開始される。これは、前記少なくとも一つの条件が満たされたら直ちに、すなわち、接続回復を開始するために追加の基準を適用しないで、回復が開始されることを意味する。上記実施形態を、下記の非限定的な例を用いて説明する。
【００７０】
ユーザ装置は、隣接セルに対してＡ３イベントがトリガされた場合に、そのサービングセルへの接続の問題を検出した時に、特定の隣接セルへの接続の回復を開始するようにネットワークによって構成されている。接続の問題が、物理層からの非同期指示の受信によって検出されたと仮定しよう。この特定の実施形態によれば、ユーザ装置は次に物理層からの非同期指示をカウントしているカウンターＮ３１０、又は無線通信リンクの失敗を制御しているタイマーＴ３１０を停止させ、Ａ３イベントが、すなわちターゲットセルへ向けてトリガされている隣接セルへの接続の回復を直ちに開始する。
【００７１】
例示の代替実施形態では、前記少なくとも一つの特別基準には、特定の終了値におけるタイマーの終了を含み、前記終了値は、「通常の」接続回復に適用された前記タイマーの終了値とは異なる、すなわち、前記少なくとも一つの条件が満たされていない、及び／又はカウンターの閾値に到達している場合、前記閾値は、前記少なくとも一つの条件が満たされていない場合、すなわち通常の接続回復の場合に適用される前記タイマーの終了値とは異なる。したがって、ユーザ装置は、前記少なくとも一つの条件が満たされた場合にユーザ装置が接続の回復を開始する時に、タイマー及び／又はカウンターの異なる値を評価に実行し、使用することができる。
【００７２】
このため、本発明の実施形態によれば、ユーザ装置は、少なくとも一つの条件が満たされた場合に、「通常の」接続回復手順にしたがって、タイマー、例えばＴ３１０のカウント及び終了が確定する前に、隣接セルへのＲＲＣ接続の回復を実施することができる。  
【００７３】
例えば、カウンターの閾値は特別基準として３に設定され、これにより、特別基準は、ユーザ装置が、３の「非同期」指示の後に前記少なくとも一つの条件が満たされる隣接セルへの回復を開始することができることを暗示するものとなる。あるいは、又は加えて、タイマー終了値は、別の特別基準として１００ミリ秒に設定され、これにより、ユーザ装置は、Ｔ３１０開始から１００ミリ秒後に前記少なくとも一つの条件が満たされる隣接セルへの回復を開始することができる。
【００７４】
別の代替実施形態では、前記少なくとも一つの特別基準には、「通常の」接続回復の開始に使用される少なくとも一つのカウンター及び／又はタイマーに加えて、少なくとも一つの異なるカウンター及び／又はタイマーの使用が含まれ、ユーザ装置が、条件が満たされるセルへの接続の回復を開始することが可能になった時は、前記異なるカウンター及び／又はタイマーが管理することになる。例えば、条件が満たされるセルにおける回復の開始は、カウンターＮ４１０のカウンター値３、及びタイマー「Ｔ４１０」のタイマー値「１００ミリ秒」に関連しうる。タイマー及びカウンターのネーミングは例示としてのみ見るべきであり、本発明の実施形態の適用性に対していかなる限定も暗示するものではない。同じカウンター「Ｎ４１０」及びタイマー「Ｔ４１０」を、すべての隣接セルへのリカバリを管理するために使用できる。各隣接セル、又は一群の隣接セルのカウンター及びタイマーについて別々の値があってもよい。
【００７５】
多数の変化及び組み合わせが可能である。ユーザ装置が隣接セルへの接続の回復をしようとする時に評価するためのカウンター及びタイマーの値は、少なくとも一つの条件が満たされた時、又は満たされない時の両方の場合に、いくつかの実施形態では、ネットワークによって構成可能である（図５の任意のステップ５０２、及び図６のステップ６０３参照）。
【００７６】
本発明の実施形態には、ユーザ装置が特定の隣接セルへのすばやい接続回復手順を実行するべきか否かを判断するために評価するための、少なくとも一つの条件を有するようにユーザ装置を構成するためのネットワークの態様も含まれる。ネットワーク側では、一つのユーザ装置、又は一群のユーザ装置に、第１、すなわちサービングセルへの接続問題の検出時に評価されるべき上記少なくとも一つの条件を提供する原理は、ハンドオーバが幾つかの展開において特に難しいということである。このため、特定領域においては、ユーザ装置が開始する接続リカバリを頼らなければならないことがしばしばある。したがって、上記問題が起こりうるところでは、このリカバリの速度を上げようというインセンティブがある。
【００７７】
図６は、本発明の実施形態による、ネットワークノードによって実施される方法ステップの概略図である。ステップ６０２では、ネットワークノードは、前記ネットワークノードに制御されている第１のセルにおいてリンクが確立されている一又は複数のユーザ装置へ、少なくとも一つの条件を定義する設定メッセージを送る。上記条件の例は、ユーザ装置によって実施される方法の説明に関連して上述したものである。ステップ６０５では、一又は複数のユーザ装置は、第１のセルへの接続の問題を検出した時に前記少なくとも一つの条件を評価するように、ネットワークノードによって構成される。ステップ６０６では、前記一又は複数のユーザ装置は、前記少なくとも一つの条件が前記隣接セルに対して満たされた場合に、隣接セルへの接続の回復を開始するための少なくとも一つの特別基準を適用するためにネットワークノードによって構成され、前記特別基準は、前記少なくとも一つの条件が満たされなかった場合に適用される少なくとも一つの基準とは異なるものである。
【００７８】
任意のステップ６０７では、ネットワークノードは、前記少なくとも一つの条件が満たされた場合に、接続の回復を開始するための前記少なくとも一つの特別基準が適用される少なくとも一つのセルの指示を送る。少なくとも一つのセルの指示は、ユーザ装置によって実施される方法の説明に関連して、上述した異なる形態であってよい。
【００７９】
任意のステップ６００では、ネットワークノードは、ステップ６０７においてどのセルが一又は複数のユーザ装置に指示されるべきかを確定するために、以前の回復要求について一又は複数の隣接ネットワークノードから情報を受信する。このため、ネットワークは、どの隣接セルを指示するべきかを確定するために、例えば以前のハンドオーバの失敗からの統計を使用する。例えば、ｅＮＢにおいて、ｅＮＢのセルＡからセルＢへのハンドオーバがしばしば失敗するという情報がある場合、ネットワークは、ユーザ装置が前記少なくとも一つの特別基準を適用することによって、すばやい接続回復を実行するべきである指示されたセルとしてセルＢを追加しうる。例えばハンドオーバの失敗等の情報は、例えばＸ２、Ｓ１又はＱ＆Ｍインターフェースを介して隣接ネットワークノードから受信することができる。
【００８０】
ネットワークノードはこのため、例えばハンドオーバが失敗したこと等の接続の問題についての情報を収集し、上記情報を隣接セルを制御している他のｅＮＢに提供するように配設されうる。例えば、セルＢを制御するネットワークノードＢは、セルＡからのハンドオーバが失敗した後に、ユーザ装置がこのセルにしばしば到達することを見出す（図９参照）。セルＢを制御するネットワークノードＢは、ＲＬＦ報告メッセージ（３ＧＰＰ  ＴＳ  ３６．３３１参照）においてこの情報を受信することができ、情報要素はｆａｉｌｅｄＰＣｅｌｌＩｄでありうる。ネットワークノードＢはこの情報を収集し、セルＡを制御しているネットワークノードＡに、直接、又は幾つかの集合ノード、例えばＱ＆Ｍノードを介して送り、これにより、ネットワークノードは、ユーザ装置がすばやいリカバリを実行する指示されたセルとしてセルＢを加えることができる。
【００８１】
任意のステップ６０１では、ネットワークノードは、ステップ６０７において送られる、ユーザ装置にどのセルを指示するべきかを確定する。これは、上述したように隣接ネットワークノードから受け取る、あるいはそれ自体が利用可能である、以前の接続の問題の情報又は統計を用いることによって実施可能である。
【００８２】
特定の実施形態に関連する任意のステップであるステップ６０４では、ネットワークは、例えば無線通信基地局、又はＬＴＥ専門用語においてｅＮｏｄｅＢ等の上記指示されたセルを制御している少なくとも一つの第２ネットワークノードにメッセージを送ることによって、ステップ６０７において一又は複数のユーザ装置に指示された隣接セルを準備し、これにより、第２ネットワークノードが、現在第１のセルに接続されている特定のユーザ装置から接続回復の要求を受信するように準備される。この準備には、第１ネットワークノードからハンドオーバ要求を第２ネットワークノードへ送ることが含まれうる。どちらのセルも同じネットワークノードによって制御される場合、メッセージを送る必要はないが、ネットワークノード自体が指示されたセルにおけるＵＥ１からの接続を回復させるために準備されうる。
【００８３】
あるいは、準備メッセージが送られない場合、指示されたセルを制御する第２ネットワークノードは、前記指示されたセルにおいて接続の回復を要求するかもしれないすべてのユーザ装置に関する任意の情報を受信しない。したがって、前記第２ネットワークノードは、上記ユーザ装置に関連するすべてのユーザ装置のコンテクストを所有しない。指示されたセルを制御する第２ネットワークノードは次に、第１のセルを制御するネットワークノードから上記ユーザ装置のコンテクストをフェッチすることができる。上記フェッチは、第２ネットワークノードが、ユーザ装置からの回復要求を検出した時に、第１ネットワークノードからユーザ装置に関する情報を要求することを暗示する。第２ネットワークノードが、回復要求を受け入れるためにユーザ装置に関する必要な情報を受信した場合、フェッチは良好である。フェッチが良好である時、第２ネットワークノードはユーザ装置から回復を受け入れることができる。  
【００８４】
本発明の実施形態によるユーザ装置７００、ＵＥを図７に概略的に示す。ユーザ装置は、受信機７０２と送信機７０３を備える。前記受信機は、少なくとも一つの条件を定義するネットワークから設定メッセージを受信するように構成される。上記条件の例を、ユーザ装置によって実施される方法の説明に関連して前記において説明してきた。前記メッセージは、放送チャンネル上で、あるいは専用シグナリングを介して受信することができる。
【００８５】
ユーザ装置７００はさらに、第１のセルへの接続の問題が検出された時に前記少なくとも一つの条件が満たされた場合に評価するように構成された処理回路と、隣接セルに対して前記少なくとも一つの条件が満たされた場合に、前記隣接セルへの接続の回復を開始するために、前記少なくとも一つの条件が満たされなかった場合に適用される少なくとも一つの基準とは異なる前記少なくとも一つの特別基準を適用するように構成された回路とを備えるプロセッサ７０１を備える。  
【００８６】
幾つかの実施形態では、ユーザ装置７００はさらに、タイマー７０４及び／又はカウンター７０６を備える。ある特定の実施形態では、前記少なくとも一つの特別基準は、特定の終了値におけるタイマー７０４の終了を含み、前記終了値は、前記少なくとも一つの条件が満たされなかった場合、及び／又はカウンター７０６の閾値に到達した場合に適用される前記タイマー７０４の終了値とは異なり、前記閾値は、前記少なくとも一つの条件が満たされなかった場合に適用されるカウンター７０６の閾値とは異なる。ある特定の実施形態では、タイマー７０４はタイマーＴ３１０であってよく、カウンター７０６はカウンターＮ３１０であってよい。  
【００８７】
さらに別の実施形態では、ユーザ装置７００は、前記少なくとも一つの条件が満たされなかった場合に、セルへの回復を開始するために使用されるカウンター７０６及び／又はタイマー７０４に加えて、隣接セルへの接続の回復を開始するために、別の異なるカウンター７０７及び／又はタイマー７０５を備える。
【００８８】
ネットワークノード８００における配置構成を図８に概略的に示す。ネットワークノードは、ネットワークに含まれるように適合され、ネットワークとユーザ装置、ＵＥとの間の接続の回復を制御するようにさらに適合されており、前記ネットワークは、ネットワークに含まれる第１のセルにおいてユーザ装置のリンクを確立している。
【００８９】
配置構成には、受信機８０２と送信機８０３が含まれる。送信機８０３は、設定メッセージを少なくとも一つの条件を定義する一又は複数のユーザ装置に送るように構成される。上記条件の例を、ユーザ装置によって実施される方法の実施形態の説明に関連して説明してきた。前記メッセージは、放送チャンネル上で、又は専用シグナリングを介して送信することができる。
【００９０】
ネットワークノード８００における配置構成はさらに、第１のセルへの接続の問題を検出した時に、前記少なくとも一つの条件を評価するように前記一又は複数のユーザ装置を構成するように配置された処理回路を備えるプロセッサ（８０１）を含む。処理回路はさらに、隣接セルに対して前記少なくとも一つの条件が満たされた場合に、前記隣接セルへの接続の回復を開始するために、前記少なくとも一つの条件が満たされなかった場合に適用される少なくとも一つの基準とは異なる少なくとも一つの特別基準を適用するように、一又は複数のユーザ装置を構成するように配置される。
【００９１】
ある実施形態では、送信機８０３は、前記少なくとも一つの条件が満たされた場合に、接続の回復を開始するための前記少なくとも一つの特別基準が適用される少なくとも一つのセルの指示を送るように構成される。少なくとも一つのセルの指示は、ユーザ装置によって実施される方法の説明に関連して、前記において説明した異なる形態であってよい。
【００９２】
ある実施形態では、受信機８０２は、どの少なくとも一つのセルを一又は複数のユーザ装置に指示すべきかを確定するために、以前の回復要求についての情報を一又は複数の隣接ネットワークノードから受信するように構成される。
【００９３】
ある実施形態では、プロセッサ（８０１）は、どのセルを一又は複数のユーザ装置に指示すべきかを確定するために、以前の接続の問題の情報を用いるように構成された回路を備える。前記処理回路は、どのセルを一又は複数のユーザ装置に指示すべきかを確定するために、隣接ネットワークノードから受信機（８０２）によって受信した回復要求についての情報又は統計を使用するようにも構成されうる。
【００９４】
ある実施形態では、送信機（８０３）は、前記一又は複数のユーザ装置に指示された少なくとも一つのセルを制御している少なくとも一つの隣接ネットワークノードに準備メッセージを送るように構成することができ、これにより、上記ネットワークノードが、前記一又は複数のユーザ装置から接続の回復要求を受信するように準備される。
【００９５】
ユーザ装置（７００）によって実施される方法のステップ、及びネットワークノード（８００）の配置構成は、各プロセッサ７０１及び８０１の処理回路の機能要素によって実施される。ある実施形態では、これらの機能は、適切にプログラミングされたマイクロプロセッサ、又はマイクロコントローラによって単独で、又はデジタルシグナルプロセッサ（ＤＳＰ）、特殊用途のデジタル論理等を含みうる、他のデジタルハードウェアと合わせて行われる。マイクロプロセッサ及びデジタルハードウェアのいずれか、または両方を、メモリに記憶されたプログラムコードを実行するように構成することができる。重ねて、モバイル機器、及び無線通信基地局のベースバンド処理回路の設計に関連する様々な詳細及びエンジニアリング・トレードオフは周知であり、本発明を完全に理解するためには不必要であるため、さらなる詳細は本明細書に記載されない。
【００９６】
メモリ回路に記憶されたプログラムコードは、読み取り専用メモリ（ＲＯＭ）、ランダムアクセスメモリ、キャッシュメモリ、フラッシュメモリデバイス、光学記憶デバイス等の一つの、又はいくつかの種類のメモリを備えることができ、一又は複数の遠隔通信及び／又はデータ通信プロトコル、及びいくつかの実施形態において、本明細書で説明した技術のうちの一又は複数を行うための命令を実行するためのプログラム命令を含む。当然ながら、必ずしもこれらの技術のステップをすべてを単一のマイクロプロセッサ、又は単一モジュールにおいて実施するわけではない。
【００９７】
本発明は、もちろんのこと、本明細書に具体的に記載された方法以外の別の方法で、本発明の本質的特徴から逸脱することなく行うことが可能である。本発明の実施形態は、あらゆる局面において例示であり、限定するものではないと考えるべきである。
【図１】
2019033502.tif 000003
【図２】
2019033502.tif 000004
【図３】
2019033502.tif 000005
【図４】
2019033502.tif 000006
【図５】
2019033502.tif 000007
【図６】
2019033502.tif 000008
【図７】
2019033502.tif 000009
【図８】
2019033502.tif 000010
【図９】
2019033502.tif 000011
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
明細書に記載された発明。
【手続補正２】
【補正対象書類名】明細書
【補正対象項目名】００９７
【補正方法】変更
【補正の内容】
【００９７】
本発明は、もちろんのこと、本明細書に具体的に記載された方法以外の別の方法で、本発明の本質的特徴から逸脱することなく行うことが可能である。本発明の実施形態は、あらゆる局面において例示であり、限定するものではないと考えるべきである。
本発明は以下に記載する態様を含む。
（態様１）
ネットワークに含まれる第１のセル（Ａ）においてサービングされているユーザ装置、ＵＥ（７００）において、前記ユーザ装置と前記ネットワークの間の接続の回復を制御する方法であって、下記のステップ：
−  少なくとも一つの条件を定義する前記ネットワークから設定メッセージを受信する（５０１）ステップと、
−  前記第１のセルへの接続の問題を検出した（５０３）時に、前記少なくとも一つの条件を評価する（５０４）ステップと、
−  隣接セル（Ｂ）に対して前記少なくとも一つの条件が満たされた場合、前記隣接セルへの接続の回復を開始するために、前記少なくとも一つの条件が満たされなかった場合に適用される少なくとも一つの基準とは異なる少なくとも一つの特別基準を適用する（５０５）ステップと
を含む、方法。
（態様２）
前記少なくとも一つの条件が、前記ユーザ装置が前記隣接セル（Ｂ）のカバレージ内にいるか否かを判断することに関連している、態様１に記載の方法。
（態様３）
隣接セル（Ｂ）から受信した信号が閾値よりも強い場合に、前記隣接セル（Ｂ）に対して条件が満たされる、態様２に記載の方法。
（態様４）
測定イベントが前記隣接セル（Ｂ）に対してトリガされた場合に条件が満たされる、態様２又は３に記載の方法。
（態様５）
隣接セル（Ｂ）に対して測定イベントがトリガされたことを示す測定報告が前記ネットワークに送信された場合に、前記隣接セルに対して条件が満たされる、態様２に記載の方法。
（態様６）
隣接セル（Ｂ）に対して測定イベントがトリガされたことを示す測定報告が良好に送信されたという確認を前記ネットワークから受信した場合に、前記隣接セルに対して条件が満たされる、態様２に記載の方法。
（態様７）
前記少なくとも一つの条件が満たされた場合に、接続の回復を開始するための前記少なくとも一つの特別基準が適用される少なくとも一つの隣接セル（Ｂ）の指示を含む、前記ネットワークからのメッセージを受信する（５０７）ステップを含む、態様１から６のいずれか一つに記載の方法。
（態様８）
前記少なくとも一つの条件が満たされた時に回復が直ちに開始される、態様１から７のいずれか一つに記載の方法。
（態様９）
前記少なくとも一つの特別基準は、特定の終了値におけるタイマー（７０４）の終了を含み、前記終了値は、前記少なくとも一つの条件が満たされなかった場合に適用される前記タイマー（７０４）の終了値とは異なる、態様１から７のいずれか一つに記載の方法。
（態様１０）
前記少なくとも一つの特別基準は、カウンター（７０６）の閾値に到達することを含み、前記閾値は、前記少なくとも一つの条件が満たされなかった場合に適用される前記カウンター（７０６）の閾値とは異なる、態様１から７及び９のいずれか一つに記載の方法。
（態様１１）
前記少なくとも一つの特別基準は、前記少なくとも一つの条件が満たされなかった場合に回復を開始するために使用されるカウンター（７０６）及び／又はタイマー（７０４）に加えて、隣接セルへの接続の回復をいつ開始するかを評価するためにカウンター（７０７）及び／又はタイマー（７０５）を使用することを含む、態様１から７及び９から１０のいずれか一つに記載の方法。
（態様１２）
ネットワークに含まれる第１のセル（Ａ）においてユーザ装置（７００）をサービングしている前記ネットワークに含まれるべきネットワークノード（８００）において、前記ネットワークと前記ユーザ装置との間の接続の回復を制御する方法であって、以下のステップ：
−  少なくとも一つの条件を定義する一又は複数のユーザ装置に設定メッセージを送る（６０２）ステップと、
−  前記第１のセルへの接続の問題を検出した時に、前記少なくとも一つの条件を評価するように前記一又は複数のユーザ装置を構成する（６０５）ステップと、
−  隣接セル（Ｂ）に対して前記少なくとも一つの条件が満たされた場合に、前記隣接セル（Ｂ）への接続の回復を開始するために、前記少なくとも一つの条件が満たされなかった場合に適用される少なくとも一つの基準とは異なる少なくとも一つの特別基準を適用するように前記一又は複数のユーザ装置を構成する（６０６）ステップと
を含む、方法。
（態様１３）
前記少なくとも一つの条件が、ユーザ装置が前記隣接セル（Ｂ）のカバレージ内にあるか否かを判断することに関連する、態様１２に記載の方法。
（態様１４）
隣接セル（Ｂ）から受信した信号が閾値よりも強い場合に、前記隣接セル（Ｂ）に対して条件が満たされる、態様１３に記載の方法。
（態様１５）
前記隣接セルに対して測定イベントがトリガされた場合に条件が満たされる、態様１３又は１４に記載の方法。
（態様１６）
隣接セル（Ｂ）に対して測定イベントがトリガされたことを示す測定報告がネットワークに送信された場合に、前記隣接セルに対して条件が満たされる、態様１３に記載の方法。
（態様１７）
隣接セル（Ｂ）に対して測定イベントがトリガされたことを示す測定報告が良好に送信されたことの確認を前記ネットワークから受信した場合に、前記隣接セルに対して条件が満たされる、態様１３に記載の方法。
（態様１８）
前記少なくとも一つの条件が満たされた場合に、接続の回復を開始するために前記少なくとも一つの特別基準が適用される少なくとも一つのセルの指示を一又は複数のユーザ装置に送る（６０７）ステップを含む、態様１２から１７のいずれか一つに記載の方法。
（態様１９）
前記ネットワークノードが以前の接続の問題の情報を用いて、どのセルを前記一又は複数のユーザ装置に指示すべきかを確定する（６０１）、態様１８に記載の方法。
（態様２０）
どのセルを前記一又は複数のユーザ装置に指示すべきかを確定する（６０１）ために、前記ネットワークノードが、以前の回復要求についての情報を隣接ネットワークノードから受信する（６００）、態様１８又は１９に記載の方法。
（態様２１）
前記ネットワークノードが、前記一又は複数のユーザ装置へのメッセージに指示される少なくとも一つのセルを制御している少なくとも一つのネットワークノードに準備メッセージを送り（６０４）、上記ネットワークノードに前記一又は複数のユーザ装置（７００）から接続の回復要求を受信する準備をさせる、態様１８から２０のいずれか一つに記載の方法。
（態様２２）
ユーザ装置とネットワークとの間の接続の回復を制御するように適合された前記ユーザ装置（７００）であって、前記ユーザ装置は前記ネットワークに含まれる第１のセル（Ａ）においてサービングされており、
−  少なくとも一つの条件を定義する前記ネットワークから設定メッセージを受信する（５０１）ように構成された受信機（７０２）と、
−  前記第１のセルへの接続の問題を検出した時に前記少なくとも一つの条件が満たされたかどうか評価するように構成され、且つ隣接セル（Ｂ）に対して前記少なくとも一つの条件が満たされた場合に、前記隣接セルへの接続の回復を開始するために、前記少なくとも一つの条件が満たされなかった場合に適用される少なくとも一つの基準とは異なる少なくとも一つの特別基準を適用するように構成された回路を備えるプロセッサ（７０１）と
を備える、ユーザ装置（７００）。
（態様２３）
前記少なくとも一つの条件が、前記ユーザ装置が前記隣接セル（Ｂ）のカバレージ内にあるか否かを判断することに関連する、態様２２に記載のユーザ装置（７００）。
（態様２４）
隣接セル（Ｂ）から受信した信号が閾値よりも強い場合に、前記隣接セルに対して条件が満たされる、態様２３に記載のユーザ装置（７００）。
（態様２５）
測定イベントが前記隣接セル（Ｂ）に対してトリガされた場合に条件が満たされる、態様２３又は２４に記載のユーザ装置（７００）。
（態様２６）
測定イベントが隣接セル（Ｂ）に対してトリガされたことを示す測定報告が前記ネットワークに送信された場合に、前記隣接セルに対して条件が満たされる、態様２３に記載のユーザ装置（７００）。
（態様２７）
隣接セル（Ｂ）に対して測定イベントがトリガされたことを示す測定報告が良好に送信されたという確認を前記ネットワークから受信した場合に、前記隣接セルに対して条件が満たされる、態様２３に記載のユーザ装置（７００）。
（態様２８）
前記受信機（７０２）がさらに、前記少なくとも一つの条件が満たされた場合に、接続の回復を開始するために前記少なくとも一つの特別基準が適用される少なくとも一つのセル（Ｂ）の指示を受信する（５０７）ように構成されている、態様２２から２７のいずれか一つに記載のユーザ装置（７００）。
（態様２９）
タイマー（７０４）を備え、前記少なくとも一つの特別基準が、前記少なくとも一つの条件が満たされなかった場合に適用される前記タイマーの終了値とは異なる特定の終了値における前記タイマーの終了を含む、態様２２から２８のいずれか一つに記載のユーザ装置（７００）。
（態様３０）
カウンター（７０６）を備え、前記少なくとも一つの特別基準が、前記少なくとも一つの条件が満たされなかった場合に適用される前記カウンターの閾値とは異なる前記カウンターの閾値に到達することを含む、態様２２から２９のいずれか一つに記載のユーザ装置（７００）。
（態様３１）
前記少なくとも一つの条件が満たされなかった場合に隣接セルへの回復をいつ開始するかを評価するために使用されるカウンター（７０６）及び／又はタイマー（７０４）に加えて、前記少なくとも一つの条件が満たされた場合に隣接セルへの接続の回復をいつ開始するかを評価するためのカウンター（７０７）及び／又はタイマー（７０５）を備える、態様２２から３０のいずれか一つに記載のユーザ装置（７００）。
（態様３２）
ネットワークに含まれる第１のセル（Ａ）においてユーザ装置（７００）をサービングしている前記ネットワークと前記ユーザ装置との間の接続の回復を制御するように適合された、前記ネットワークに含まれるべきネットワークノード（８００）の配置構成であって、
−  少なくとも一つの条件を定義する一又は複数のユーザ装置に設定メッセージ（６０２）を送るように構成された送信機（８０３）と、
−  前記第１のセルへの接続の問題を検出した時に、前記少なくとも一つの条件を評価し、隣接セルに対して前記少なくとも一つの条件が満たされた場合に前記隣接セルへの接続の回復を開始するために、前記少なくとも一つの条件が満たされなかった場合に適用される少なくとも一つの基準とは異なる少なくとも一つの特別基準を適用するように前記一又は複数のユーザ装置を構成する（６０５、６０６）ように配置された処理回路を備えるプロセッサ（８０１）と
を備える、ネットワークノード（８００）の配置構成。
（態様３３）
前記少なくとも一つの条件が、ユーザ装置（７００）が前記隣接セルのカバレージ内にあるか否かを判断することに関連する、態様３２に記載の配置構成。
（態様３４）
隣接セル（Ｂ）から受信した信号が閾値よりも強い場合に、前記隣接セルに対して条件が満たされる、態様３３に記載の配置構成。
（態様３５）
前記隣接セル（Ｂ）に対して測定イベントがトリガされた場合に条件が満たされる、態様３３又は３４に記載の配置構成。
（態様３６）
隣接セル（Ｂ）に対して測定イベントがトリガされたことを示す測定報告が前記ネットワークに送信された場合に、前記隣接セルに対して条件が満たされる、態様３３に記載の配置構成。
（態様３７）
隣接セル（Ａ）に対して測定イベントがトリガされたことを示す測定報告が良好に送信されたという確認を前記ネットワークから受信した場合に、前記隣接セルに対して条件が満たされる、態様３３に記載の配置構成。
（態様３８）
前記少なくとも一つの条件が満たされた場合に、接続の回復を開始するために前記少なくとも一つの特別基準が適用される少なくとも一つのセルの指示を一又は複数のユーザ装置（７００）に送信する（６０７）ように構成された送信機（８０３）を備える、態様３２から３７のいずれか一つに記載の配置構成。
（態様３９）
以前の接続の問題の情報を用いて、どのセルを前記一又は複数のユーザ装置（７００）に指示するべきかを確定する（６０１）ように構成された処理回路を備える、態様３８に記載の配置構成。
（態様４０）
回復要求についての情報を隣接ネットワークノードから受信して（６００）、一又は複数のユーザ装置（７００）にどのセルを指示するべきかを確定する（６０１）ように構成された受信機（８０２）を備える、態様３８又は３９に記載の配置構成。
（態様４１）
前記送信機（８０３）が、前記メッセージに指示された少なくとも一つのセルを制御している少なくとも一つのネットワークノードに準備メッセージ（６０４）を送って、上記ネットワークノードに、前記一又は複数のユーザ装置から接続回復要求を受信する準備をさせるように構成される、態様３８から４０のいずれか一つに記載の配置構成。
【外国語明細書】
2019033502000001.pdf